(57)【特許請求の範囲】
【請求項１】
回転自在な内環支持体（２）に止着した２枚の円盤状のろ過板（１、１）と、ろ過板（１）の外周部に摺接させた外周環（４）とでろ過室（５）を形成し、ろ過室（５）の下方部の外周環（４）に逆止板（１０）を止着して、この逆止板（１０）の側縁部をろ過板（１）に近接させ、その先端部をろ過板（１）の内環支持体（２）に摺設させると共に、逆止板（１０）で規制するろ過室（５）の始端側に汚泥の供給口（１２）と、その終端側にケーキの取出口（１３）を外周環（４）に開口した装置において、上記取出口（１３）の内部に開閉蓋（１４、１４ａ）の上端を吊設し、開閉蓋（１４、１４ａ）の下端をアクチュエーター（１５）のピストン（１６）に連結して、開閉蓋（１４、１４ａ）を傾斜させて取出口（１３）を閉塞し、脱水ケーキの下端部を三角形状に形成させて排出させ、前記逆止板（１０）の内部に、ろ過板（１）を洗浄するための洗浄水の供給管（２１）を配設したことを特徴とするフイルタープレス。
【請求項２】
上記開閉蓋（１４）の上端を逆止板（１０）の先端部（１０ａ）に吊設し、開閉蓋（１４）の下端をアクチュエーター（１５）のピストン（１６）に連結して、ピストン（１６）を収縮させて取出口（１３）を閉塞することを特徴とする請求項１記載のフイルタープレス。
【請求項３】
上記開閉蓋（１４ａ）の上端を外周環（４）の下方部（４ａ）に吊設し、開閉蓋（１４ａ）の下端をアクチュエーター（１５）のピストン（１６）に連結して、ピストン（１６）を伸張させて取出口（１３）を閉塞することを特徴とする請求項１記載のフイルタープレス。
【発明の詳細な説明】
【０００１】
【発明の属する技術分野】
この発明は、無機質や繊維質を多く含有する汚泥を圧搾脱水して、間歇的に脱水ケーキを取り出す、フイルタープレスの取出口の開閉装置に関する。
【０００２】
【従来の技術】
回転自在なろ過板でろ過室を形成し、ろ過室の外周環に止着した逆止板で規制するろ過室の始端側の供給口から汚泥を圧入し、ろ過板と汚泥を供回りさせながら、ろ過板と汚泥との間に発生する摩擦抵抗と、せん断摩擦抵抗力を発生させて圧搾脱水し、ろ過室の終端側の取出口から間歇的に脱水ケーキを取出すフイルタープレスを出願人が特願平１１−２１８４４６号で提案している。
【０００３】
【発明が解決しようとする課題】
上記出願人が提案したフイルタープレスは多数並列すれば大容量処理が可能であり、広い設置スペースも必要とせず、ろ布などの消耗品も不用となるものであるが、間歇的に圧搾脱水するために、脱水ケーキと出口壁面との接触圧力によるケーキ排出時の滑り抵抗が大きくなり、ケーキの詰まりなどが発生してその部分に過大な負荷が生じていた。この発明は、ケーキの取出口に工夫を施すことにより上記の課題を解決する装置を提供するものである。
【０００４】
【課題を解決するための手段】
この発明の要旨は、回転自在な内環支持体に止着した２枚の円盤状のろ過板と、ろ過板の外周部に摺接させた外周環とでろ過室を形成し、ろ過室の下方部の外周環に逆止板を止着して、この逆止板の側縁をろ過板に近接させ、その先端部を内環支持体に摺設させると共に、逆止板で規制するろ過室の始端側に汚泥の供給口と、その終端側にケーキの取出口を外周環に開口した装置において、上記取出口の一端に開閉蓋を吊設し、開閉蓋の下端をアクチュエーターのピストンに連結して、開閉蓋を傾斜させて取出口を閉塞し、脱水ケーキの下端部を三角形状に形成させて排出させ、前記逆止板の内部に、ろ過板を洗浄するための洗浄水の供給管を配設したものである。そして、上記取出口の開閉装置が、開閉蓋上端を逆止板の先端部に吊設し、あるいは、取出口開閉蓋の下端をアクチュエーターのピストンに連結して、ピストンを収縮させて取出口を閉塞するものである。
【０００５】
【発明の実施の形態】
この発明に係る装置は上記のように構成してあり、ケーキ取出口の開閉弁を閉塞し、ろ過室を微速回転させながら供給口から汚泥を圧入すると、汚泥は濃縮されながらろ過室の回転とともに移送されろ材の接触面との摩擦抵抗で汚泥が脱水される。やがて、ろ過面のケーキ層と中心部の比較的柔らかい汚泥との間にせん断摩擦抵抗力が発生し脱水が促進され、取出口からケーキに背圧を加えながらさらに脱水が行なわれる。そして、開閉蓋を開放すれば、開閉蓋の近傍の最も脱水されたケーキは、その下端部が取出口に三角形状に垂下されるので、脱水ケーキの断面積が徐々に増加する形状となり、排出されるケーキと出口壁面との接触圧力が徐々に増加されるので、排出初期の滑り抵抗が少なくなり、ろ過板の回転によるろ材の接触面との摩擦抵抗でろ過室のケーキを連続して取出口から排出することができる。
【０００６】
【実施例】
この発明に係るフイルタープレスを図面に基づき詳述すると、まず、図１及び図２において、符号１は多数の細孔を有する円盤状のろ過板であって、２枚の円盤状のろ過板１、１の内周縁が内環支持体２に止着してある。ろ過板１の周部には支持板３に固定した外周環４が配設してあり、２枚のろ過板１、１と外周環４とでその内部にろ過室５が形成してある。ろ過板１を止着した内環支持体２には駆動軸６が嵌入してあり、この駆動軸６が架台７に固定された軸受８に回転自在に軸支されている。そして、駆動軸６の端部に嵌着したスプロケット９が駆動機（図示せず）に連結してあり、２枚のろ過板１、１を回転させて、ろ過室５の汚泥を供回りさせるようにしてある。
【０００７】
ろ過室５の下方部の外周環４には、図２に示すように、逆止板１０が止着してあり、この逆止板１０の側縁部をろ過板１に近接させ、その先端部を内環支持体２に摺設させるようにしてある。この逆止板１０でろ過室５を分断する前後の外周環４には、汚泥の供給管１１を連結した供給口１２と長方形の筒状に形成したケーキの取出口１３が設けてあり、この取出口１３の内部に長方形状の開閉蓋１４が配設してある。図２及び図３に示すように、この開閉蓋１４は、その上端を逆止板１０の先端部１０ａに吊設し、開閉蓋１４の下端をアクチュエーター１５のピストン１６に連結してある。そして、図２に示すように、ピストン１６を収縮させて、開閉蓋１４を取出口１３の逆止板１０の先端部１０ａから取出口１３の外周環４側の下端部に向って傾斜させて取出口１３を閉塞し、ピストン１６を伸張させて取出口１３を開放すれば、開閉蓋１４の近傍の最も脱水されたケーキは、その下端部が取出口１３に脱水ケーキの断面積が徐々に増加する三角形状に垂下され、排出するケーキと取出口１３の壁面との接触圧力が徐々に増加するようにしてあり、排出初期の滑り抵抗を少なくしてある。符号１７は開閉蓋１４の周縁に設けたシール材である。
【０００８】
また、開閉蓋１４は、図４及び図５に示す他の実施例では、くの字状に折り曲げた長方形状の開閉蓋１４ａの上端を外周環４の下方部４ａに吊設し、開閉蓋１４ａの下端をアクチュエーター１５のピストン１６に連結して、ピストン１６を伸張させて、図４に示すように、取出口１３を連結した外周環４の下方部４ａから逆止板１０の下部に傾斜させて取出口１３を閉塞し、折り曲げた長方形状の開閉蓋１４ａの下部を逆止板１０の下端部に密着させるようにしてある。なお、図１において、符号１８はろ過板１を覆うカバーであって、架台７に固定され、そのカバー１８の周部に外周環４を固定した支持板３に止着してあり、ろ過板１とカバー１８の間にろ液室１９を形成してある。符号２０はろ液の排出管、符号２１は逆止板１０の内部からろ過板１を洗浄するための洗浄水の供給管、符号２２はろ過板１の補強板である。
【０００９】
【発明の効果】
以上の説明で明らかなように、この発明のフイルタープレスにあっては、脱水ケーキの取出口の一端に開閉蓋を吊設し、開閉蓋の下端をアクチュエーターのピストンに連結して、開閉蓋を傾斜させて取出口を閉塞し、開閉蓋の近傍の最も脱水されたケーキは、その下端部が取出口に三角形状に垂下させるので、脱水ケーキの断面積が徐々に増加する形状となり、排出されるケーキと出口壁面との接触圧力が徐々に増加されるので、排出初期の滑り抵抗が少なくなり、ろ過室のケーキを連続して取出口から排出することができるものである。そして、逆止板の内部に、ろ過板を洗浄するための洗浄水の供給管を配設したことによりろ過板の目詰まりが解消されるものである。
【図面の簡単な説明】
【図１】この発明に係るフイルタープレスの概略側面図である。
【図２】同じく、脱水ケーキの取出口を閉塞したフイルタープレスの縦断正面図である。
【図３】同じく、取出口を解放したフイルタープレスの縦断正面図である。
【図４】他の実施例の取出口を閉塞したフイルタープレスの縦断正面図である。
【図５】他の実施例の取出口を解放したフイルタープレスの縦断正面図である。
【符号の説明】
１  ろ過板
２  内環支持体
４  外周環
４ａ  下方部
５  ろ過室
１０  逆止板
１０ａ  先端部
１２  供給口
１３  取出口
１４、１４ａ  開閉蓋
１５  アクチュエーター
１６  ピストン
２１  洗浄水の供給管
【図１】
0003567824.tif 000002
【図２】
0003567824.tif 000003
【図３】
0003567824.tif 000004
【図４】
0003567824.tif 000005
【図５】
0003567824.tif 000006